(57)【要約】【課題】寝台装置の使用者を介助する介助者の膝や脛への身体的負担を軽減する。【解決手段】寝台装置は、寝台装置本体と、寝台装置本体の周縁部に設けられ、外力を緩和する緩和部３０と、を備えている。【選択図】図２
2017153914.tif 000002
【特許請求の範囲】
【請求項１】
寝台装置本体と、
前記寝台装置本体の周縁部に設けられ、外力を緩和する緩和部と、
を備えている、ことを特徴とする寝台装置。
【請求項２】
前記緩和部は、前記寝台装置本体の周縁部を覆う軟質部材で構成される、ことを特徴とする請求項１に記載の寝台装置。
【請求項３】
前記寝台装置本体が、寝台を備え、
前記緩和部が、前記寝台の周縁部に設けられている、ことを特徴とする請求項１または２に記載の寝台装置。
【請求項４】
前記緩和部は、面取りされている前記寝台の角部である、ことを特徴とする請求項３に記載の寝台装置。
【請求項５】
前記寝台が、前記寝台の周縁部に沿って配置された枠体を備えている、ことを特徴とする請求項２〜４のいずれか一項に記載の寝台装置。
【請求項６】
前記緩和部は、前記枠体を前記寝台の周縁部から離脱させる枠体離脱装置である、ことを特徴とする請求項５に記載の寝台装置。
【請求項７】
前記緩和部は、マットレスが前記寝台装置本体の周縁部からはみ出して前記寝台装置本体に載置されることで形成される、ことを特徴とする請求項１〜６のいずれか一項に記載の寝台装置。
【発明の詳細な説明】
【技術分野】
【０００１】
本発明は、寝台装置に関するものである。
【背景技術】
【０００２】
従来から、下記特許文献１に示すような寝台装置が知られている。この寝台装置は、マットレスと、マットレスを支持する寝台装置本体と、を備えている。
【先行技術文献】
【特許文献】
【０００３】
【特許文献１】特開２００５−８７６６８号公報
【発明の概要】
【発明が解決しようとする課題】
【０００４】
寝台装置に寝ている使用者を介助する介助者は、使用者のおむつ交換などの体位変換、抱き起し、車いすへの移乗等をする際、自身の腰への負担を軽減するために、寝台装置本体の周縁部に自身の膝や脛を押し付ける体勢になる。
しかし、寝台装置本体の周縁部には、通常、鉄やアルミ等の硬質材料で形成されている枠体が設けられており、枠体の角部は若干の丸みはあるものの接触面積が小さいため、一点に圧力がかかり、膝や脛に痣ができることがある、という介助者の悩みがある。
【０００５】
本発明は、前述した事情に鑑みてなされたものであって、寝台装置の使用者を介助する介助者の膝や脛への身体的負担を軽減することを目的とする。
【課題を解決するための手段】
【０００６】
前記課題を解決するために、本発明は以下の手段を提案している。
（１）本発明に係る寝台装置は、寝台装置本体と、前記寝台装置本体の周縁部に設けられ、外力を緩和する緩和部と、を備えている、ことを特徴とする。
この発明によれば、寝台装置本体の周縁部に介助者の膝や脛を押し付ける姿勢となっても、緩和部が外力を緩和するため、介助者の膝や脛への身体的負担を軽減することができる。その結果、介助者の膝や脛の負担を軽減でき、介助者は、痣を生じにくくなるため、安心して使用者の介助にあたることができる。また、膝や脛の痣が生じにくくなることで、日常生活においても、痣のことを気にする必要が少なくなる。
【０００７】
（２）上記（１）に記載の寝台装置であって、前記緩和部は、前記寝台装置本体の周縁部を覆う軟質部材で構成される、という構成を採用してもよい。
この場合、寝台装置本体の周縁部が軟質材料で覆われるため、軟質材料が介助者の膝や脛の形に応じて柔軟に変形し、介助者の膝や脛との接触面積を広げるため、介助者の膝や脛に加わる圧力を分散させることができる。
【０００８】
（３）上記（１）または（２）に記載の寝台装置であって、前記寝台装置本体が、寝台を備え、前記緩和部が、前記寝台の周縁部に設けられている、という構成を採用してもよい。
この場合、緩和部が、寝台の周縁部に設けられているので、緩和部が衝撃を緩和することによる効果を顕著に奏功させることができる。
【０００９】
（４）上記（３）に記載の寝台装置であって、前記緩和部は、面取りされている前記寝台の角部である、という構成を採用してもよい。
この場合、寝台の角部が面取りされているため、角部が介助者の膝や脛と面接触または二点以上の点接触となるため、介助者の膝や脛に加わる圧力を分散させることができる。
【００１０】
（５）上記（２）〜（４）のいずれか一項に記載の寝台装置であって、前記寝台が、前記寝台の周縁部に沿って配置された枠体を備えている、という構成を採用してもよい。
（６）上記（５）に記載の寝台装置であって、前記緩和部は、前記枠体を前記寝台の周縁部から離脱させる枠体離脱装置である、という構成を採用してもよい。
この場合、枠体が枠体離脱装置によって寝台の周縁部から離脱できるため、枠体が介助者の膝や脛に当たらなくなる。
【００１１】
（７）上記（１）〜（６）のいずれか一項に記載の寝台装置であって、マットレスが前記寝台装置本体の周縁部からはみ出して前記寝台装置本体に載置されることで形成される、という構成を採用してもよい。
この場合、マットレスの周縁部よりも内側に寝台装置本体が配置されるため、介助者の膝や脛は先ずマットレスの周縁部に当たることとなる。これにより、寝台装置本体が介助者の膝や脛に当たらなくなる、または、マットレスのクッションによって寝台装置本体に対する介助者の膝や脛の当たりが緩和される。
【発明の効果】
【００１２】
本発明によれば、寝台装置の使用者を介助する介助者の膝や脛への身体的負担を軽減することができる。
【図面の簡単な説明】
【００１３】
【図１】本発明の第１実施形態における寝台装置を足側から視た図である。
【図２】本発明の第１実施形態における寝台の平面図である。
【図３Ａ】本発明の第１実施形態における緩和部の斜視図である。
【図３Ｂ】本発明の第１実施形態における緩和部の変形例を示す斜視図である。
【図３Ｃ】本発明の第１実施形態における緩和部の変形例を示す斜視図である。
【図３Ｄ】本発明の第１実施形態における緩和部の変形例を示す斜視図である。
【図３Ｅ】本発明の第１実施形態における緩和部の変形例を示す（ａ）斜視図、（ｂ）枠体の長手方向から視た図である。
【図３Ｆ】本発明の第１実施形態における緩和部の変形例を示す（ａ）斜視図、（ｂ）枠体の長手方向から視た図である。
【図３Ｇ】本発明の第１実施形態における緩和部の変形例を示す斜視図である。
【図３Ｈ】本発明の第１実施形態における緩和部の変形例を示す平面図である。
【図３Ｉ】本発明の第１実施形態における緩和部の変形例を示す平面図である。
【図４】本発明の第２実施形態における緩和部の斜視図である。
【図５】本発明の第２実施形態における緩和部の変形例を示す斜視図である。
【図６】本発明の第３実施形態における緩和部を備える寝台の平面図である。
【図７】本発明の第４実施形態における緩和部を備える寝台の底面図である。
【発明を実施するための形態】
【００１４】
本発明の一実施形態に係る寝台装置を、図面に基づいて以下に説明する。寝台装置は、例えば、医療環境下（介護環境下を含む）において利用することができる。図面において、矢印Ｈは人（使用者Ｈ１）が寝る際に頭側となる向きを示し、また矢印Ｆは人が寝る際に足側となる向きを示している。以下の説明においては、矢印Ｈ、Ｆの方向である前後方向に対して直交する水平方向を左右方向と言う場合が有る。前後方向および左右方向は、いずれも水平方向に沿う方向であるとともに、互いに直交する方向である。
【００１５】
（第１実施形態）
図１は、本発明の第１実施形態における寝台装置１を足側から視た図である。
図１に示すように、寝台装置１は、寝台装置本体１０と、マットレス２０と、を備えている。寝台装置本体１０は、平面視した場合に左右方向よりも前後方向に長い矩形状に形成された寝台１１と、寝台１１の短辺に沿って設けられたボード１２と、寝台１１の長辺に沿って設けられた柵体１３と、寝台１１を支持する支持部１４（支持架台）と、を備えている。
【００１６】
ボード１２は、寝台１１の頭側Ｈの一短辺に位置するヘッドボードである。ボード１２は、寝台１１に対して実質的に移動不能に固定された固定ボードである。
柵体１３は、寝台１１の左右の長辺に、左右方向で対向して一対で設けられている。さらに、柵体１３は、寝台１１の前後方向に間隔をあけて一対で設けられている。柵体１３は、全体で４つ設けられている。柵体１３は、寝台１１の左右の長辺に着脱可能に連結されている。
【００１７】
支持部１４は、床面に接地する脚体１４ａを備えている。脚体１４ａは、図１に示すように、寝台１１の左右方向に間隔をあけて一対で設けられている。さらに、脚体１４ａは、寝台１１の前後方向にそれぞれ２本ずつ設けられている。脚体１４ａは、全体で４つ設けられている。寝台１１は、駆動部１４ｂを備える支持部１４によって昇降できる。
【００１８】
図２は、本発明の第１実施形態における寝台１１の平面図である。
図２に示すように、寝台１１は、平面視した場合に左右方向よりも前後方向に長い。寝台１１の上面は、寝台面１１Ａを形成している。寝台面１１Ａは、上下方向に直交する直交面とされている。寝台面１１Ａ（寝台１１）の長手方向は前後方向とされ、寝台面１１Ａの短手方向は左右方向となっている。寝台１１は、マットレス２０を直接、支持し、寝台面１１Ａ上には、マットレス２０が配置される。
【００１９】
寝台１１は、図１に示す、支持部１４に支持された枠体１５と、図２に示す、枠体１５に支持された床板１６と、を備えている。
【００２０】
枠体１５は、支持部１４の上端部に支持されている。枠体１５は、図２に示すように、寝台１１の周縁部１１ａに設けられている。枠体１５は、平面視した場合に左右方向よりも前後方向に長い矩形枠状に形成されている。
床板１６は、枠体１５に支持されている。床板１６は、枠体１５によって囲まれた矩形状の空間を覆うようにして枠体１５に架設されている。床板１６は、枠体１５にボルト等で固定されている。なお、床板１６は、例えば、枠体１５に設けられた図示しない段差部に載置される構成であってもよい。
【００２１】
枠体１５は、鉄やアルミ等の硬質材料で形成されている。枠体１５は、寝台１１の周縁部１１ａ（寝台装置本体１０の周縁部）の短辺を形成する一対の短辺フレーム１７と、寝台１１の周縁部１１ａの長辺を形成する一対の長辺フレーム１８と、を備えている。長辺フレーム１８には、柵体１３を着脱可能に連結させる連結孔１９が形成されている。連結孔１９は、２つ１組で形成されている。
寝台装置１は、寝台装置本体１０の周縁部に設けられ、外力を緩和する緩和部３０を備えている。緩和部３０は、枠体１５の一対の長辺フレーム１８のそれぞれに設けられている。なお、ここでいう「緩和」とは、外力を０（ゼロ）にすることを含む。
【００２２】
図３Ａは、本発明の第１実施形態における緩和部３０の斜視図である。
図３Ａに示すように、緩和部３０は、枠体１５の角部１５ａを覆う軟質部材で構成される。枠体１５は、角部１５ａが若干の丸みを帯びた四角管形状を有している。緩和部３０は、図２に示す連結孔１９を除き、枠体１５の全周を覆うように設けられている。なお、緩和部３０は、少なくとも枠体１５の外側面１５Ａと上面１５Ｂとが交わる角部１５ａを覆うように設けることが好ましい。この緩和部３０は、例えば、ゴム、エラストマー、ウレタン等の弾性樹脂材やクッション等の緩衝材から形成されている。緩和部３０は、寝台１１（枠体１５）を形成する材料よりも軟質な材料によって形成されている。なお、緩和部３０は、清拭性がある材料（例えば、ゴム、エラストマー等）である方が好ましい。
【００２３】
上記構成の寝台装置１によれば、図１に示すように、寝台１１の周縁部１１ａに設けられた枠体１５に介助者Ｈ２の膝や脛を押し付ける姿勢となっても、図２に示す緩和部３０が枠体１５との衝撃もしくは圧力を緩和する。本実施形態の緩和部３０は、図３Ａに示す枠体１５の角部１５ａを覆う軟質部材で構成される。この構成によれば、枠体１５の角部１５ａに介助者Ｈ２の膝や脛が押し付けられたとき、緩和部３０が介助者Ｈ２の膝や脛の形に応じて柔軟に変形する。緩和部３０は、介助者Ｈ２の膝や脛との接触面積を広げ、枠体１５の角部１５ａから介助者Ｈ２の膝や脛に加わる圧力を分散させる。
【００２４】
このように、上述した本実施形態によれば、寝台１１の周縁部１１ａに設けられた枠体１５に介助者Ｈ２の膝や脛を押し付ける姿勢となっても、緩和部３０が枠体１５との衝撃を緩和するため、介助者Ｈ２の膝や脛への身体的負担を軽減することができる。その結果、介助者Ｈ２の膝や脛の負担を軽減でき、介助者Ｈ２は、痣を生じにくくなくなるため、安心して使用者の介助にあたることができる。また、膝や脛の痣が生じにくくなることで、介助者Ｈ２の精神的負担も軽減され、日常生活においても、痣のことを気にする必要が少なくなる。
【００２５】
図３Ｂは、本発明の第１実施形態における緩和部３０の変形例を示す斜視図である。
図３Ｂに示すように、第１実施形態の緩和部３０の変形例は、枠体１５の長手方向に沿って切れ目３０ａが形成されている。この変形例によれば、緩和部３０を枠体１５から取り外して洗浄し、再度装着することができる。すなわち、緩和部３０が現場での使用によって汚れたとしても、取り外して洗浄することで、清潔な状態を保つことができる。この緩和部３０が、例えば、上述した清拭性がある材料（例えば、ゴム、エラストマー等）である場合、洗浄が容易であるため、より清潔な状態を保つことができる。
【００２６】
なお、緩和部３０は、図３Ｃに示す変形例のように、枠体１５の短手方向に沿って切れ目３０ｂが形成されていてもよい。また、緩和部３０は、図３Ｄに示す変形例のように、枠体１５の長手方向に沿って切れ目３０ａが形成され、さらに枠体１５の短手方向に沿って切れ目３０ｂが形成されていてもよい。
また、取り外した緩和部３０を洗浄して再利用するだけでなく、消耗品として使い捨てにしてもよい。例えば、緩和部３０が、汚れを吸収し易く、洗浄し難い多孔質材料である場合は、緩和部３０を枠体から取り外して捨て、新しい緩和部３０を装着してもよい。
【００２７】
また、緩和部３０は、図３Ｅに示す変形例のように、コの字状に形成されてもよい。また、緩和部３０は、図３Ｆに示す変形例のように、Ｌの字状に形成されてもよい。
【００２８】
また、緩和部３０は、図３Ｇ及び図３Ｈに示す変形例のように、複数のユニット３２から形成されてもよい。図３Ｇ及び図３Ｈに示すユニット３２は、連結孔１９のピッチに対応した長さを有し、長手方向の両端に連通孔１９を露出させる円弧状の溝３２ａが形成されている。
また、緩和部３０は、図３Ｉに示す変形例のように、溝３２ａが無い平面視矩形状の複数のユニット３２から形成されてもよい。
【００２９】
（第２実施形態）
次に、本発明の第２実施形態について説明する。以下の説明において、上述の実施形態と同一又は同等の構成については同一の符号を付し、その説明を簡略若しくは省略する。
【００３０】
図４は、本発明の第２実施形態における緩和部３０Ａの斜視図である。
図４に示すように、第２実施形態の緩和部３０Ａは、面取りされている枠体１５の角部１５ａ１（寝台１１の角部）である。角部１５ａ１は、枠体１５の外側面１５Ａと上面１５Ｂとが交わる角部を面取りしたものであって、左右方向において外側面１５Ａに向かうに従って下方に傾斜する傾斜面１５Ｃを備えている。傾斜面１５Ｃは、例えば、水平面に対して斜め４５度で傾斜している。なお、上面１５Ｂと傾斜面１５Ｃとが交わる角部（稜線）及び傾斜面１５Ｃと外側面１５Ａとが交わる角部（稜線）は、若干の丸みを帯びたＲ形状を備えている。
【００３１】
第２実施形態によれば、枠体１５が略直角三角管形状となる。このため、寝台１１の周縁部１１ａに設けられた枠体１５に介助者Ｈ２の膝や脛を押し付ける姿勢となっても、図４に示す緩和部３０Ａが枠体１５との衝撃を緩和する。すなわち、枠体１５の角部１５ａ１は面取りされた傾斜面１５Ｃを備えており、介助者Ｈ２の膝や脛は傾斜面１５Ｃと面接触する。このため、緩和部３０Ａは、介助者Ｈ２の膝や脛との接触面積を広げ、枠体１５の角部１５ａから介助者Ｈ２の膝や脛に加わる圧力を分散させることができる。
【００３２】
図５は、本発明の第２実施形態における緩和部３０Ａの変形例を示す斜視図である。
図５に示すように、第２実施形態の緩和部３０Ａの変形例は、多角形状に面取りされている枠体１５の角部１５ａ２であってもよい。角部１５ａ２は、複数の傾斜面１５Ｃ１，１５Ｃ２，１５Ｃ３を備えている。この変形例によれば、枠体１５が略扇形管形状となる。この構成によれば、枠体１５が介助者Ｈ２の膝や脛と面接触または複数の傾斜面１５Ｃ１，１５Ｃ２，１５Ｃ３の角部（稜線）における二点以上の点接触または線接触となり、介助者Ｈ２の膝や脛に加わる圧力を分散させることができる。
【００３３】
（第３実施形態）
次に、本発明の第３実施形態について説明する。以下の説明において、上述の実施形態と同一又は同等の構成については同一の符号を付し、その説明を簡略若しくは省略する。
【００３４】
図６は、本発明の第３実施形態における緩和部３０Ｂを備える寝台１１の平面図である。
図６に示すように、第３実施形態の緩和部３０Ｂは、枠体１５を寝台１１の周縁部１１ａから離脱させる枠体離脱装置３１である。第３実施形態の長辺フレーム１８は、第１フレーム１８ａと第２フレーム１８ｂとから構成されており、枠体離脱装置３１は、第１フレーム１８ａと第２フレーム１８ｂを両開き可能に支持するヒンジ機構を備える。
【００３５】
第１フレーム１８ａと第２フレーム１８ｂは、一対の短辺フレーム１７の端部に対し、上下方向に延びる軸回りに回動自在に支持されている。第１フレーム１８ａと第２フレーム１８ｂは、寝台１１の周縁部１１ａを形成する位置（図６において実線で示す）と、寝台１１の周縁部１１ａから離脱する位置（図６において２点鎖線で示す）との間で移動可能である。周縁部１１ａから離脱する位置における第１フレーム１８ａと第２フレーム１８ｂの開き角度は、第１フレーム１８ａと第２フレーム１８ｂとの間に介助者Ｈ２が入れる開き角度であることが好ましく、４５度以上、より好ましくは９０度以上の開き角度とすることが好ましい。
【００３６】
第３実施形態によれば、枠体１５を寝台１１の周縁部１１ａから離脱させる枠体離脱装置３１を備えているため、枠体１５が介助者Ｈ２の膝や脛に当たらなくなる。すなわち、介助者Ｈ２は、使用者Ｈ１の体位変換や抱き起し等をする前に、第１フレーム１８ａと第２フレーム１８ｂとを開くことで、枠体１５を寝台１１の周縁部１１ａから離脱させることができる。このように、第３実施形態では、介助者Ｈ２の膝や脛が枠体１５にそもそも当たらなくすることにより、介助者Ｈ２の膝や脛の負担を防止できる。
なお、第１フレーム１８ａと第２フレーム１８ｂは、枠体１５の内側に回動することで寝台１１の周縁部１１ａから離脱する構成であってもよい。また、第１フレーム１８ａと第２フレーム１８ｂが枠体１５の外側に回動する場合、外側に開いた後、幅方向（寝台１１の左右方向）に水平移動させ、寝台１１の下に格納してもよい。
【００３７】
（第４実施形態）
次に、本発明の第４実施形態について説明する。以下の説明において、上述の実施形態と同一又は同等の構成については同一の符号を付し、その説明を簡略若しくは省略する。
【００３８】
図７は、本発明の第４実施形態における緩和部３０Ｃを備える寝台１１の底面図である。なお、図７では、枠体１５とマットレス２０Ａとの位置関係を底面側から示すため、床板１６を省略している。
図７に示すように、第４実施形態の緩和部３０Ｃは、マットレス２０Ａが周縁部１１ａからはみ出して寝台１１に載置されることで形成される。マットレス２０Ａは、左右方向において寝台１１の短辺（短辺フレーム１７）よりも長い矩形状に形成されている。
【００３９】
マットレス２０Ａは、左右方向の両端部に硬質材料２１を備えている。硬質材料２１は、長辺フレーム１８よりも左右方向の幅が広い。また、硬質材料２１は、長辺フレーム１８よりも前後方向に長く、長辺フレーム１８と一対の短辺フレーム１７とに跨って支持されている。硬質材料２１は、寝台１１（枠体１５）からはみ出した端部の剛性を高めることにより、使用者Ｈ１がマットレス２０Ａの端部に座った際に、マットレス２０Ａの形状を安定させる。硬質材料２１は、マットレス２０Ａの左右方向の両端部の下面に貼られた板材であってもよいし、マットレス２０Ａの左右方向の両端部の内部に密に充填されたクッション材若しくはスプリングやワイヤー材等であってもよい。
【００４０】
第４実施形態によれば、マットレス２０Ａの周縁部２０ａよりも内側に枠体１５（寝台装置本体１０の周縁部）が配置されるため、介助者Ｈ２の膝や脛は先ずマットレス２０Ａの周縁部２０ａに当たることとなる。これにより、枠体１５が介助者Ｈ２の膝や脛に当たらなくなる、または、マットレス２０Ａのクッションによって枠体１５に対する介助者Ｈ２の膝や脛の当たりが緩和される。このように、第３実施形態では、寝台１１の周縁部１１ａからマットレス２０Ａをはみ出して載置することにより、マットレス２０Ａの下方に枠体１５との衝撃を緩和する逃げ空間を形成することができ、介助者Ｈ２の膝や脛の負担を防止できる。
【００４１】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４２】
例えば、上記実施形態では、寝台の周縁部に緩和部を設ける構成について説明したが、本発明は、寝台１１の下方（例えば、支持部）に緩和部を設ける構成であってもよい。
【００４３】
また、例えば、上記実施形態では、上記実施形態では寝台の周縁部に沿って枠体を備える構成について説明したが、本発明は、枠体の無い寝台にも適用できる。枠体の無い寝台としては、例えば、寝台が一枚板から構成されているものや、寝台が複数のパネルが並べられて構成されているものを例示することができる。
【００４４】
また、例えば、上記実施形態では、緩和部を枠体の全体を覆うように設ける構成について説明したが、本発明は、緩和部を介助者の膝や脛足が当たる面部分のみ（例えば、上面のみ、側面のみ、上側面のみ、あるいはセンター付近のみ）を覆うように設ける構成であってもよい。また、緩和部は、表面加工によって表面を画一にしなくてもよい。例えば、緩和部の表面は、スポンジたわしの表面のように凸凹が形成されていてもよい。また、緩和部にスリットや切れ込みを設けて変形し易くしてもよい。また、緩和部にスルーホール穴を設けて表面を凸凹にしてもよい。
【００４５】
また、例えば、上述した各実施形態の構成の置き換え、組み合わせは、適宜可能である。
【符号の説明】
【００４６】
１  寝台装置
１０  寝台装置本体
１１  寝台
１１ａ  周縁部（寝台装置本体の周縁部）
１５  枠体
１５ａ、１５ａ１、１５ａ２  角部
２０、２０Ａ  マットレス
２０ａ  周縁部
３０、３０Ａ、３０Ｂ、３０Ｃ  緩和部
３１  枠体離脱装置
【図１】
2017153914.tif 000003
【図２】
2017153914.tif 000004
【図３Ａ】
2017153914.tif 000005
【図３Ｂ】
2017153914.tif 000006
【図３Ｃ】
2017153914.tif 000007
【図３Ｄ】
2017153914.tif 000008
【図３Ｅ】
2017153914.tif 000009
【図３Ｆ】
2017153914.tif 000010
【図３Ｇ】
2017153914.tif 000011
【図３Ｈ】
2017153914.tif 000012
【図３Ｉ】
2017153914.tif 000013
【図４】
2017153914.tif 000014
【図５】
2017153914.tif 000015
【図６】
2017153914.tif 000016
【図７】
2017153914.tif 000017